(57)【要約】【課題】無線端末の無線送信電力制御のフィードバック時間を短縮化する。【解決手段】無線端末の無線送信電力を制御するための送信電力制御情報を送信する基地局装置へ送信電力制御情報としてチャネル識別拡散符号とタイムスロット情報を通知する無線ネットワーク制御装置であって、基地局装置が送信したデータが無線端末を往復する時間であるラウンドトリップタイムの測定値を取得する手段と、基地局装置が無線端末へ送信電力制御情報を送信するタイミングの基準タイミングからの遅れを示すタイミングオフセット値を取得する手段と、取得したラウンドトリップタイムの測定値とタイミングオフセット値に基づいて、基地局装置へ通知するチャネル識別拡散符号とタイムスロット情報を制御する手段を備える。【選択図】図１３
2010147843.tif 000002
【特許請求の範囲】
【請求項１】
無線端末の無線送信電力を制御するための送信電力制御情報を送信する基地局装置へ該送信電力制御情報としてチャネル識別拡散符号とタイムスロット情報を通知する無線ネットワーク制御装置であって、
該基地局装置が送信したデータが該無線端末を往復する時間であるラウンドトリップタイムの測定値を取得する手段と、
該基地局装置が該無線端末へ該送信電力制御情報を送信するタイミングの基準タイミングからの遅れを示すタイミングオフセット値を取得する手段と、
該取得したラウンドトリップタイムの測定値とタイミングオフセット値に基づいて、該基地局装置へ通知する該チャネル識別拡散符号と該タイムスロット情報を制御する手段を備えることを特徴とする無線ネットワーク制御装置。
【請求項２】
請求項１に記載の無線ネットワーク制御装置であって、
該タイムスロット情報は、複数の無線端末に対応する個別チャネルの該送信電力制御情報を同じコードで拡散し、複数の無線端末に対応する該送信電力制御情報を時分割多重するためのタイムスロット情報であることを特徴とする無線ネットワーク制御装置。
【請求項３】
無線端末の無線送信電力を制御するための送信電力制御情報を送信する基地局装置へ該送信電力制御情報としてチャネル識別拡散符号とタイムスロット情報を通知する無線ネットワーク制御装置が、該送信電力制御情報の送信されるタイムスロットを設定するための送信電力制御情報設定方法であって、
該基地局装置が送信したデータが該無線端末を往復する時間であるラウンドトリップタイムの測定値を取得し、
該基地局装置が該無線端末へ該送信電力制御情報を送信するタイミングの基準タイミングからの遅れを示すタイミングオフセット値を取得し、
該取得したタイミングオフセット値に基づいて決定される第１のタイムスロット情報と、予め確保されているチャネル識別拡散符号の組み合わせにおいて未使用のタイムスロットを検索し、
第１のタイムスロット情報の検索にて未使用のタイムスロットが無かった場合に、該基地局装置と該無線端末間の伝播遅延量の許容範囲が第１のタイムスロット情報より小さくなる第２のタイムスロット情報と該チャネル識別拡散符号の組み合わせにおいて未使用のタイムスロットを検索し、
該検索を予め決定されるタイムスロット数まで順次繰り返し実行することによって未使用のタイムスロットを検索し、該基地局装置へ通知する該チャネル識別拡散符号と該タイムスロット情報を制御することを特徴とする送信電力制御情報設定方法。
【請求項４】
請求項３に記載の送信電力制御情報設定方法であって、
予め決定され該検索を実行するタイムスロット数は、複数の無線端末に対応する個別チャネルの該送信電力制御情報を同じコードで拡散処理し、複数の無線端末に対応する該送信電力制御情報を時分割多重する多重数であることを特徴とする送信電力制御情報設定方法。
【請求項５】
請求項３に記載の送信電力制御情報設定方法であって、
該送信電力制御情報の送信されるタイムスロットが設定されている該無線端末の該ラウンドトリップタイムの測定値が所定の範囲外になった場合に、該送信電力制御情報設定方法は実行されることを特徴とする送信電力制御情報設定方法。
【請求項６】
請求項５に記載の送信電力制御情報設定方法であって、
該未使用タイムスロットが存在しないために該タイムスロット設定の待機状態にある無線端末が存在し、該送信電力制御情報の送信されるタイムスロットが設定されている無線端末のチャネルの解放、または該送信電力制御情報のタイムスロット変更が実施され、特定のタイムスロットが未使用タイムスロットになった場合に、該送信電力制御情報設定方法は実行されることを特徴とする送信電力制御情報設定方法。
【発明の詳細な説明】
【技術分野】
【０００１】
本発明は、無線ネットワーク制御装置および送信電力制御情報設定方法に関する。本発明を、無線端末の無線送信電力を制御するための送信電力制御情報のタイミング設定を制御する無線ネットワーク制御装置および送信電力制御情報設定方法に適用することもできる。
【背景技術】
【０００２】
例えば、移動通信システムの一形態であるＷ−ＣＤＭＡ（wideband code division multiple access）システム（以降、Ｗ−ＣＤＭＡシステムと記載する。）では、受信側の受信品質に対応して送信側の送信電力を制御するインナーループ送信電力制御機能を備えている。例えば、基地局（Ｎｏｄｅ−Ｂと記載する場合もある。）は無線端末からの無線信号の受信品質に基づいて無線端末の無線送信電力を制御している。受信品質の評価基準としてＳＩＲ（signal to interference ratio）測定値を用い、基地局は無線端末のＳＩＲを測定し、この受信ＳＩＲ測定値と受信ＳＩＲ目標値を比較する。この比較結果を、上りリンクの送信電力を制御する上り送信電力制御（ＴＰＣ：transmit power control）ビット値として、下りリンク物理チャネル信号にマッピングして無線端末へ送信する。これによって、無線端末に対するインナーループ送信電力制御機能を実現している。なお、上りリンクは無線端末から基地局への方向を、下りリンクは基地局から無線端末への方向を表している。
【０００３】
Ｗ−ＣＤＭＡシステムでは、チャネル識別拡散符号としてチャネライゼーションコード（channelization code）とスクランブリングコード（scrambling code）の２種類の符号を用いて拡散を行っている。個別チャネルの下りチャネライゼーションコードは割当ユーザ毎に１対１対応となっている。設定されたチャネライゼーションコードは単一のユーザに対するデータ伝送および電力制御を実現している。この電力制御に関し、例えば、単一チャネルにおいて複数の無線端末に対するＴＰＣ信号を送信し、それぞれの伝播遅延に応じたタイミングにて電力制御を実施する技術が公表されている（特許文献１参照）。
【０００４】
一方、３ＧＰＰ（3rd Generation Partnership Project）標準仕様のリリース６以降では、ＨＳＤＰＡ（high speed downlink packet access）／ＥＵＬ（enhanced uplink）チャネルの付随個別チャネルとしてＦ−ＤＰＣＨ（fractional dedicated physical channel）が提案されている（非特許文献１参照）。
【０００５】
Ｆ−ＤＰＣＨは個別チャネルで伝送するデータが無い場合に、このＦ−ＤＰＣＨのみを送信することによってＴＰＣビットの送信が可能となり、上りリンクの電力制御が可能となる利点を有する。
【０００６】
Ｆ−ＤＰＣＨのフレームは１５のスロットを含んでいる。スロット内でのＴＰＣビットの位置は１０通りの中から選択されたスロットフォーマットに応じて決定される。このため、選択されたスロットフォーマットのＴＰＣビット位置に応じて無線端末の無線送信電力制御のフィードバック時間が異なる場合がある。
【特許文献１】特表２００４−５２９５３０号公報
【非特許文献１】３ＧＰＰ  Ｒ１−０３１０７３
【発明の開示】
【発明が解決しようとする課題】
【０００７】
上記のように、Ｆ−ＤＰＣＨ適用時のＷ−ＣＤＭＡシステムにおいてインナーループ送信電力制御のフィードバック時間は、Ｆ−ＤＰＣＨのフレーム構成におけるスロット内でのＴＰＣビット位置に応じて決定される。
【０００８】
開示の技術は、電力制御のフィードバック時間を短縮化する無線ネットワーク制御装置および送信電力制御情報設定方法を提供することを目的とする。
【課題を解決するための手段】
【０００９】
無線端末の無線送信電力を制御するための送信電力制御情報を送信する基地局装置へ送信電力制御情報としてチャネル識別拡散符号とタイムスロット情報を通知する無線ネットワーク制御装置であって、基地局装置が送信したデータが無線端末を往復する時間であるラウンドトリップタイムの測定値を取得する手段と、基地局装置が無線端末へ送信電力制御情報を送信するタイミングの基準タイミングからの遅れを示すタイミングオフセット値を取得する手段と、取得したラウンドトリップタイムの測定値とタイミングオフセット値に基づいて、基地局装置へ通知するチャネル識別拡散符号とタイムスロット情報を制御する手段を備えることを特徴とする無線ネットワーク制御装置である。
【００１０】
開示の装置によれば、基地局装置から無線端末へのデータ送信の往復時間を示すラウンドトリップタイムと基地局装置が無線端末へＴＰＣビットを送信するタイミングの基準タイミングからの遅れを示すオフセット値とに基づいてチャネル識別拡散符号とタイムスロット情報を決定できるので、無線端末の送信電力制御のフィードバック時間を短縮化できる。
【００１１】
また、無線端末の無線送信電力を制御するための送信電力制御情報を送信する基地局装置へ送信電力制御情報としてチャネル識別拡散符号とタイムスロット情報を通知する無線ネットワーク制御装置が、送信電力制御情報の送信されるタイムスロットを設定するための送信電力制御情報設定方法であって、基地局装置が送信したデータが無線端末を往復する時間であるラウンドトリップタイムの測定値を取得し、基地局装置が無線端末へ送信電力制御情報を送信するタイミングの基準タイミングからの遅れを示すタイミングオフセット値を取得し、取得したタイミングオフセット値に基づいて決定される第１のタイムスロット情報と、予め確保されているチャネル識別拡散符号の組み合わせにおいて未使用のタイムスロットを検索し、第１のタイムスロット情報の検索にて未使用のタイムスロットが無かった場合に、基地局装置と無線端末間の伝播遅延量の許容範囲が第１のタイムスロット情報より小さくなる第２のタイムスロット情報とチャネル識別拡散符号の組み合わせにおいて未使用のタイムスロットを検索し、検索を予め決定されるタイムスロット数まで順次繰り返し実行することによって未使用のタイムスロットを検索することによって、基地局装置へ通知するチャネル識別拡散符号とタイムスロット情報を制御することを特徴とする送信電力制御情報設定方法である。
【００１２】
開示の方法によれば、基地局装置が無線端末へＴＰＣビットを送信するタイミングの基準タイミングからの遅れを示すオフセット値に基づいてチャネル識別拡散符号とタイムスロット情報を決定できるので、無線端末の送信電力制御のフィードバック時間を短縮化できる。
【発明の効果】
【００１３】
上記の無線ネットワーク制御装置は、Ｆ−ＤＰＣＨ適用の移動通信システムにおいて、無線端末と基地局間の伝播遅延量に基づいて無線端末の送信電力制御の反映時間を短縮化することが可能となる。これにより、高速移動端末における上りデータ伝送のパフォーマンスを向上させることが可能となる。
【発明を実施するための最良の形態】
【００１４】
以降、図面を併用して本発明の詳細を説明する。なお、図面において同一のものまたは類似するものについては同一の符号を記載する。
（実施例１）
図１は移動通信システムの一例を示す図である。１は無線ネットワーク制御装置（ＲＮＣ：radio network controller）、２は無線基地局（Ｎｏｄｅ−Ｂ）、３は屋外受信増幅器（ＯＡ−ＲＡ：open air receiver amplifier）、４はアンテナ、５は無線端末（ＵＥ：user equipment）である。ＲＮＣ１から送信された下りリンク信号は、Ｎｏｄｅ−Ｂ２の伝送路インタフェース部（ＨＷＹＩＦ）２１にて受信される。受信された下りリンク信号はベースバンド信号処理部２２にて制御信号が付加された後、符号化処理、拡散処理が行われる。拡散された下りリンク信号は無線変復調部２３にて変調され、増幅部（ＡＭＰ）２４にて増幅され、ＯＡ−ＲＡ３、アンテナ４を介して、ＵＥ５へ送信される。なお、ＵＥ５へ送信される下りリンク信号には、ＵＥ５の送信電力を制御する上りリンク電力制御情報が含まれる。また、ＵＥ５から送信された上りリンク信号にはＮｏｄｅ−Ｂ２の送信電力を制御するための下り電力制御情報が含まれる。この上りリンク信号はアンテナ４、ＯＡ−ＲＡ３を介して、Ｎｏｄｅ−Ｂ２で受信される。受信された上りリンク信号は、ＡＭＰ２４にて増幅され、無線変復調部２３で復調される。復調された上りリンク信号はベースバンド信号処理部２２にて逆拡散処理、復号化処理がなされ、ＨＷＹＩＦ２１を介してＲＮＣ１へ送信される。なお、ＵＥ５からの下りリンク信号に含まれる上り電力制御情報はベースバンド信号処理部２２にて抽出される。ここで、上りリンクはＵＥ５からＮｏｄｅ−Ｂ２への方向を、下りリンクはＮｏｄｅ−Ｂ２からＵＥ５への方向を表している。
【００１５】
図２はＮｏｄｅ−Ｂ２のベースバンド信号処理部２２の概要を示す図である。符号化部２２１は、ＨＷＹＩＦ２１を介してＲＮＣ１から受信した下りリンクのトランスポートチャネル信号の符号化処理を行う。つまり、符号化部２２１は下りリンクのトランスポートチャネル信号を符号化する。上り電力制御部２２２は、ＵＥ５の送信電力を制御するＴＰＣビットを含んだ下りリンクの制御情報を生成する。送信部２２３は、符号化された下りトランスポートチャネル信号と、パイロットビットと、そして上り電力制御部２２２で生成された制御情報を有する下りリンク物理チャネル信号とを含んだ下りリンク信号を生成する。下りリンク信号は電力制御部２２９で設定された送信電力に基づいて送信される。拡散部２２４は下りリンク信号の拡散処理を行う。逆拡散部２２５は、ＵＥ５から受信した上りリンク信号の逆拡散処理を行い、パイロットシンボルを検出する。ＲＡＫＥ合成部２２６は、検出されたパイロットシンボルを用いてチャネル推定を行い、各マルチパスのＲＡＫＥ合成を行う。受信部２２７は、ＲＡＫＥ合成された上りリンク信号から制御情報を抽出し、上りリンクのトランスポートチャネル信号を生成する。復号化部２２８は受信部２２７からの上りリンクのトランスポートチャネル信号を復号化し、ＨＷＹＩＦ２１を介してＲＮＣ１に転送する。電力設定部２２９は、受信部２２７で抽出された制御情報に含まれる下り電力制御情報に基づいて下りリンク信号の送信電力を設定する。なお、上り電力制御部２２２において、ＲＡＫＥ合成部２２６でＲＡＫＥ合成されたパイロット信号によって、受信電力／ＳＩＲ測定部２２２１は、該当個別チャネルにおけるパイロットシンボル部の受信電力およびＳＩＲ値を測定する。ＳＩＲ比較部２２２２は、受信ＳＩＲ測定値と受信ＳＩＲ目標値を比較する。ＴＰＣ設定部２２２３は、ＳＩＲ比較部２２２２の比較結果を上りＴＰＣビットとして下りリンク物理チャネル信号にマッピングする。
【００１６】
このように、ＵＥ５の送信電力を、上り電力制御部２２２で生成された下りリンク物理チャネル信号にマッピングされたＴＰＣビットによって制御することによって、ＵＥ５の送信電力に対するインナーループ送信電力制御を行う。
【００１７】
図３はＦ−ＤＰＣＨのフレーム構成の一例を示す図である。図４はＦ−ＤＰＣＨのスロットフォーマット毎の各フィールドのビット割当の一例を示す図である。フレーム周期は１０ｍｓであり、１フレームはＳＬＯＴ＃０〜＃１４の１５スロットを有している。各スロットは２５６０chip幅を有し、２ビットのＴＰＣビット（２５６chip幅）のみを送信し、ＴＰＣビット以外は送信ＯＦＦとなる。３ＧＰＰ標準仕様のリリース７以降では、例えば、Ｆ−ＤＰＣＨのスロットフォーマットは、図４に示す１０種類のスロットフォーマットが定義されている。つまり、スロット内でのＴＰＣビットの配置場所について１０種類が定義されている。ＴＰＣビットの配置場所は、各スロット内にてＴＰＣビット前の無信号ビット長ＮＯＦＦ１、ＴＰＣビット後の無信号ビット長ＮＯＦＦ２によって調整されている。そのため、Ｆ−ＤＰＣＨが適用されている複数ユーザのチャネルにおいて、それぞれのチャネルが下りリンク信号に出力するＴＰＣビットの位置が重ならない場合に、これらのチャネルを同一のチャネライゼーションコードで送信することが可能となり、コード数の節約を可能としている。
【００１８】
図５はＦ−ＤＰＣＨのパラメータ通知を示す図である。Ｆ−ＤＰＣＨのスロットフォーマットおよびチャネライゼーションコードの設定値は、ＮＢＡＰ（Node-B application part）プロトコルにて、個別チャネルの設定時の無線リンク設定要求信号（radio link setup request signal）または更新時の無線リンク変更準備信号（radio link reconfiguration prepare signal）によって、ＲＮＣ１からＮｏｄｅ−Ｂ２に通知される。
【００１９】
図６はＦ−ＤＰＣＨ適用時の無線端末送信電力制御（上り電力制御）の処理タイミングの一例を示す図である。図７はＦ−ＤＰＣＨ適用時のＮｏｄｅ−Ｂ送信電力制御（下り電力制御）の処理タイミングの一例を示す図である。Ｆ１１、Ｆ２１はＮｏｄｅ−Ｂ２の下りリンク信号の送信タイミングを、Ｆ１２、Ｆ２２はＵＥ５の下りリンク信号の受信タイミングを、Ｆ１３、Ｆ２３はＵＥ５のＵＬ−ＤＰＣＣＨ（uplink-dedicated physical data channel）における上りリンク信号の送信タイミングを、Ｆ１４、Ｆ２４はＮｏｄｅ−Ｂ２のＵＬ−ＤＰＣＣＨにおける上りリンク信号の受信タイミングを示している。
【００２０】
また、図６、図７は、図４のスロットフォーマット＃０（ＮＯＦＦ１＝２ビット）およびスロットフォーマット＃９（ＮＯＦＦ１＝０ビット）を適用した場合の上り電力制御、下り電力制御それぞれの処理タイミングを示している。ここで、Ｆ−ＤＰＣＨ上のＴＰＣビットによる上り電力制御の反映時間を１スロット遅延で実現可能とする場合、（Ｔ11）、（Ｔ13）で示す伝播遅延量ＰＤｉ(chip)の条件は、図６より次のようになる。
【００２１】
ＰＤｉ＜（１５３６＋ＮＯＦＦ１×１２８−Ｍ）／２（chip）・・・（式１）
ここで、図６において（Ｔ12）は、ＵＥ５における受信信号（下りリンク信号）から送信信号（上りリンク信号）のオフセットタイミングであり、１０２４chipを割り当てている。（Ｔ14）は（式１）のＭ（chip）であり、Ｎｏｄｅ−Ｂ２はＵＬ−ＤＰＣＣＨのパイロットビットの受信を開始してから受信ＳＩＲを測定し、そのＳＩＲ測定値とＳＩＲ目標値の比較により下りＴＰＣビットを判定する。（Ｔ14）は、その判定結果をＦ−ＤＰＣＨのＴＰＣビットとしてマッピングするまでの所要時間であり、装置固有の値となる。
【００２２】
よって、上り電力制御の１スロット遅延処理が可能となる伝播遅延量ＰＤｉの条件は次のようになる。
【００２３】
スロットフォーマット＃９の場合：ＰＤｉ＜（７６８−Ｍ／２）（chip）
スロットフォーマット＃０の場合：ＰＤｉ＜（８９６−Ｍ／２）（chip）・・・（式２）
なお、上り電力制御の１スロット遅延処理が可能となるスロットフォーマットは、スロットフォーマット＃９および＃０のみである。また、（式２）によれば、スロットフォーマット＃０におけるＰＤｉの範囲が広く、かつスロットフォーマット＃９におけるＰＤｉの範囲を含んでいる。このため、スロットフォーマット＃０は＃９と比較して伝播遅延量の変動に対する自由度が高い。
【００２４】
また、スロットフォーマット＃１〜＃８を適用した場合は、上り電力制御の１スロット遅延処理は困難であるため、最低でも２スロットの遅延が必要となる。
【００２５】
図８は、スロットフォーマット＃１〜＃８を適用した場合のＦ−ＤＰＣＨ適用時の無線端末送信電力制御（上り電力制御）の処理タイミングの一例を示す図である。図９は、Ｆ−ＤＰＣＨ適用時のＮｏｄｅ−Ｂ送信電力制御（下り電力制御）の処理タイミングの一例を示す図である。Ｆ３１、Ｆ４１はＮｏｄｅ−Ｂ２の下りリンク信号の送信タイミングを、Ｆ３２、Ｆ４２はＵＥ５の下りリンク信号の受信タイミングを、Ｆ３３、Ｆ４３はＵＥ５のＵＬ−ＤＰＣＣＨにおける上りリンク信号の送信タイミングを、Ｆ３４、Ｆ４４はＮｏｄｅ−Ｂ２のＵＬ−ＤＰＣＣＨにおける上りリンク信号の受信タイミングを示している。
【００２６】
図６と同様に、図８より、Ｆ−ＤＰＣＨ上のＴＰＣビットによる上り電力制御の反映時間を２スロット遅延で実現可能とする場合、（Ｔ31）、（Ｔ33）で示す伝播遅延量ＰＤｉ(chip)の条件は次のようになる。
【００２７】
スロットフォーマット＃９の場合：(768-M/2)≦ＰＤｉ＜(2048-M/2)（chip）
スロットフォーマット＃０の場合：(896-M/2)≦ＰＤｉ＜(2176-M/2)（chip）
スロットフォーマット＃１の場合：ＰＤｉ＜（１０２４−Ｍ／２）（chip）
スロットフォーマット＃２の場合：ＰＤｉ＜（１１５２−Ｍ／２）（chip）
スロットフォーマット＃３の場合：ＰＤｉ＜（１２８０−Ｍ／２）（chip）
スロットフォーマット＃４の場合：ＰＤｉ＜（１４０８−Ｍ／２）（chip）
スロットフォーマット＃５の場合：ＰＤｉ＜（１５３６−Ｍ／２）（chip）
スロットフォーマット＃６の場合：ＰＤｉ＜（１６６４−Ｍ／２）（chip）
スロットフォーマット＃７の場合：ＰＤｉ＜（１７９２−Ｍ／２）（chip）
スロットフォーマット＃８の場合：ＰＤｉ＜（１９２０−Ｍ／２）（chip）・・・（式３）
上記のように、Ｆ−ＤＰＣＨを適用した場合、各スロットフォーマットに上り電力制御の１スロット遅延または２スロット遅延の処理を可能とするための伝播遅延量ＰＤｉの範囲が決定される。また、（式３）によれば、スロットフォーマット＃０におけるＰＤｉの範囲が広く、かつスロットフォーマット＃１〜＃９におけるＰＤｉの範囲を含んでいる。このため、スロットフォーマット＃０はスロットフォーマット＃１〜＃９と比較して伝播遅延量の変動に対する自由度が高い。
【００２８】
上述したように、伝播遅延量が（式２）の範囲内である場合において、スロットフォーマット＃９または＃０が適用された場合、図６に示すように１スロット遅延による上り電力制御が可能となる。また、スロットフォーマット＃１〜＃８のいずれかが適用された場合、図８に示すように２スロット遅延による上り電力制御となる。
【００２９】
また、伝播遅延量が（式２）の範囲を上回り、かつ（式３）の条件に当てはまるスロットフォーマットが適用された場合、図１０に示すように２スロット遅延による上り電力制御が可能となる。しかしながら、（式３）の条件に当てはまらないスロットフォーマットが適用された場合、図１１に示すように３スロット遅延による上り電力制御となる。
【００３０】
なお、図１０、図１１は、図６、図８と同様にＦ−ＤＰＣＨ適用時の無線端末送信電力制御（上り電力制御）の処理タイミングの一例を示している。図１０、図１１は、伝播遅延量が上り電力制御の１スロット遅延処理可能となる範囲から外れる程の伝播遅延量の大きい状態の処理タイミングである。また、図１０は最適なＦ−ＤＰＣＨスロットフォーマット割当が実施された場合を、図１１は最適なＦ−ＤＰＣＨスロットフォーマット割当が実施されなかった場合を示している。
【００３１】
よって、Ｆ−ＤＰＣＨのスロットフォーマット決定においては、対象ユーザチャネルの伝播遅延量を考慮し１スロット遅延で処理可能なチャネルに関してはスロットフォーマット＃９または＃０を割り当てることが望ましい。また、２スロット遅延での処理する際にも伝播遅延量を考慮したスロットフォーマットの割り当てが望ましい。
【００３２】
次に、無線端末送信電力制御（上り電力制御）のフィードバック時間を短縮化するためのＴＰＣビットの出力タイミングの最適化について検討する。
【００３３】
先ず、ユーザ＃ｉのチャネルにＦ−ＤＰＣＨを適用する際に設定するチャネライゼーションコードおよびスロットフォーマットの割り当てについて説明する。
【００３４】
ユーザ＃ｉの個別チャネルには、Ｎｏｄｅ−Ｂから常時送出され報知情報を送信するチャネルの位相参照信号として用いられる第一共通パイロットチャネル（ＰＣＰＩＣＨ：primary common pilot channel）の基準からの送信タイミングオフセットτｉが設定されている。
【００３５】
τｉ＝ＣＯｉ×２５６（chip）・・・（式４）
（但し、ＣＯｉ：0〜149いずれかの整数）
Ｆ−ＤＰＣＨを適用する移動通信システムにおいて、Ｆ−ＤＰＣＨに割り当てられるチャネライゼーションコードがＮ個（Ｃｏｄｅ＃０、Ｃｏｄｅ＃１、Ｃｏｄｅ＃２、・・・、Ｃｏｄｅ＃（Ｎ−１））が確保されているとする。
【００３６】
また、運用セル内において下記の関数を定義し、初期状態として“０”とする。
【００３７】
ＦＤＰ(ｃ，ｔ)＝０  ・・・（式５）
（但し、c＝0,1,2,・・,N-1、t＝0,1,2,・・,9）
（式５）の関数においてｃはチャネライゼーションコード識別番号を示している。（式５）の関数は、Ｃｏｄｅ＃ｃのＴＰＣ出力タイミングｔであるＦ−ＤＰＣＨが現時点で設定されているか否かを示す関数であり、“０”であれば未設定、“１”であれば設定済であることを示す。ＴＰＣ出力タイミングｔは、Ｆ−ＤＰＣＨのチップオフセット値およびスロットフォーマットに依存する値であり、下記のように示すことが出来る。
【００３８】
ｔ＝（ＣＯｉ＋ＮＯＦＦ１／２）mod10・・・（式６）
（式６）はＰＣＰＩＣＨの基準タイミングからのＴＰＣ出力タイミングを示している。
【００３９】
図１２は、Ｆ−ＤＰＣＨ適用時の各チャネライゼーションコードおよびＴＰＣタイミングの使用状況例を示す図である。なお、初期状態においては、Ｆ−ＤＰＣＨにＴＰＣビットが設定されていないためＦＤＰ（ｃ，ｔ）＝０である。図１２はＴＰＣビットが設定された状態の一例を示している。例えば、ＦＤＰ（０，７）＝１は、ＣＯＤＥ＃０のチャネライゼーションコードと、図４で示したＮＯＦＦ１＝１０のスロットフォーマット＃４で示されるＴＰＣタイミングが設定されていることを示す。
【００４０】
図１３は、ＲＮＣ１におけるチャネライゼーションコードおよびスロットフォーマットの設定を示す図である。ＲＮＣ１はＮｏｄｅ−Ｂ２からのランダムアクセスチャネル（ＲＡＣＨ：random access channel）データフレーム等により通知される、Ｎｏｄｅ−Ｂ２が送信したデータが、ＵＥ５を経由して往復する時間を測定したラウンドトリップタイムを取得し、伝播遅延量（ＰＤｉ）が下記の式のいずれに該当するかを判定する。また、同様にＮｏｄｅ−Ｂ２で設定されているチップオフセットの値τｉを取得する。
【００４１】
０  ≦ＰＤｉ＜（  ７６８−Ｍ／２）の場合：Ｄｉ＝０
（  ７６８−Ｍ／２）≦ＰＤｉ＜（  ８９６−Ｍ／２）の場合：Ｄｉ＝１
（  ８９６−Ｍ／２）≦ＰＤｉ＜（１０２４−Ｍ／２）の場合：Ｄｉ＝２
（１０２４−Ｍ／２）≦ＰＤｉ＜（１１５２−Ｍ／２）の場合：Ｄｉ＝３
（１１５２−Ｍ／２）≦ＰＤｉ＜（１２８０−Ｍ／２）の場合：Ｄｉ＝４
（１２８０−Ｍ／２）≦ＰＤｉ＜（１４０８−Ｍ／２）の場合：Ｄｉ＝５
（１４０８−Ｍ／２）≦ＰＤｉ＜（１５３６−Ｍ／２）の場合：Ｄｉ＝６
（１５３６−Ｍ／２）≦ＰＤｉ＜（１６６４−Ｍ／２）の場合：Ｄｉ＝７
（１６６４−Ｍ／２）≦ＰＤｉ＜（１７９２−Ｍ／２）の場合：Ｄｉ＝８
（１７９２−Ｍ／２）≦ＰＤｉ＜（１９２０−Ｍ／２）の場合：Ｄｉ＝９・・・（式７）
例えば、図６において、Ｎｏｄ−Ｂ２が測定するラウンドトリップタイムは、タイミングＦ１１からＦ１４までの時間つまり（(Ｔ11)＋(Ｔ12)＋(Ｔ13)）となる。よって(Ｔ11)、(Ｔ13)にて示されるＰＤｉを導くことができ、（式７）によりＤｉを決定することができる。なお、（式７）で使用しているＭ(chip)は、Ｎｏｄｅ−Ｂ２がＵＬ−ＤＰＣＣＨのパイロットビットの受信を開始してから受信ＳＩＲを測定し、そのＳＩＲ測定値とＳＩＲ目標値の比較により下りＴＰＣビットを判定し、その判定結果をＦ−ＤＰＣＨのＴＰＣビットとしてマッピングするまでの所要時間に相当する。Ｍは装置固有の値でありＲＮＣ１が認識できる情報である。
【００４２】
また、Ｎｏｄ−Ｂ２が認識しているチップオフセット値τｉを取得し、（式４）によりＣＯｉを決定することができる。
【００４３】
これらのＤｉ、ＣＯｉに基づいて、設定するＦ−ＤＰＣＨのチャネライゼーションコードおよびスロットフォーマットを決定する。この決定方法については、図１４、図１５を用いて後で説明する。決定されたチャネライゼーションコードおよびスロットフォーマットは、ＮＢＡＰ（Node-B application part）プロトコルの、個別チャネルの設定時の無線リンク設定要求信号または更新時の無線リンク変更準備信号によって、ＲＮＣ１からＮｏｄ−Ｂ２に通知される。
【００４４】
図１４、図１５はＦ−ＤＰＣＨ適用時のチャネライゼーションコード、スロットフォーマットの決定方法の一例を示すフローチャートである。
【００４５】
Ｓ１：Ｎｏｄｅ−Ｂ２より通知されるチップオフセット値τｉを取得し、（式４）によりＣＯｉを導出する。導出されたＣＯｉはメモリ等のデータ格納手段に格納される。
【００４６】
Ｓ２：パラメータｓ＝０を設定する。なおパラメータｓは、Ｆ−ＤＰＣＨのスロットフォーマットの検索数に対応する。
【００４７】
Ｓ３：パラメータｃ＝０を設定する。なおパラメータｃは、チャネライゼーションコード識別番号に対応する。
【００４８】
Ｓ４：ステップＳ１で導出されたＣＯｉ、およびステップＳ２で設定されたパラメータｓにより、ｔ＝（ＣＯｉ＋１−ｓ）の10で割った余り（mod10）を求める。なお、この式は（式６）と等価である、つまり、(１−ｓ) mod 10 はＮＯＦＦ１／２に等しく、ステップＳ３〜ステップＳ１１の１回目のループ処理時（ｓ＝０）においてはスロットフォーマット＃０（ＮＯＦＦ１／２＝１）のタイミングとなる。なお、２回目のループ処理時（ｓ＝１）においてはスロットフォーマット＃９（ＮＯＦＦ１／２＝０）、３回目のループ処理時（ｓ＝２）においてはスロットフォーマット＃８（ＮＯＦＦ１／２＝９）のタイミングとなる。最終１０回目のループ処理時（ｓ＝９）においてはスロットフォーマット＃１（ＮＯＦＦ１／２＝２）のタイミングとなる。本処理において、スロットフォーマット＃０を優先的に検索しているのは、前述の通り、上り電力制御の１スロット遅延処理および２スロット遅延処理が可能となる許容伝播遅延量の範囲が広いためである。それ以後に検索するスロットフォーマットは、（式２）および（式３）における許容伝播遅延量の範囲が広い順に実施する。
【００４９】
Ｓ５：チャネライゼーションコードを識別するパラメータｃとステップＳ４で求められたｔによる関数ＦＤＰ(ｃ，ｔ)が“１”であるか否かを判定する。つまり、図１２で示したように、タイミングｔに設定されたＴＰＣビットをチャネライゼンーションコード＃ｃで拡散するように設定されているＦ−ＤＰＣＨが現時点で存在しているか否かを判定する。Ｆ−ＤＰＣＨが存在している場合は“１”である、存在していなければ“０”である。
【００５０】
Ｓ６：ステップＳ５においてＦＤＰ(ｃ，ｔ)＝０の場合に、ステップＳ５のＦＤＰ(ｃ，ｔ)を“１”に設定する。つまり、ステップＳ５のＦＤＰ(ｃ，ｔ)は未使用であるため、これを該当するユーザにて使用する。
【００５１】
Ｓ７：該当するユーザ＃ｉのチャネル設定を処理する。つまり、チャネライゼーションコードとしてＣｏｄｅ＃ｃを選択し、スロットフォーマットとしてＮＯＦＦ１＝２×（ｔ−ＣＯｉ）mod10であるフォーマットを選択し、それぞれを設定する。これにより、図１３に示すように設定された情報はＮｏｄｅ−Ｂ２に通知される。
【００５２】
Ｓ８：ステップＳ６においてＦＤＰ(ｃ，ｔ)＝１の場合である。このタイミングｔでチャネライゼーションコード＃ｃは使用済であるため、次のチャネライゼーションコード＃（ｃ＋１）を設定する。
【００５３】
Ｓ９：ステップＳ８で更新されたチャネライゼーションコード識別番号が予め準備されたチャネライゼーションコードの最大値を超えているか否かを判定する。チャネライゼーションコード識別番号が最大値を超えていない場合（ｃ＜Ｎ）はステップＳ５の処理を実行する。
【００５４】
Ｓ１０：ステップＳ９での判定により、チャネライゼーションコード識別番号が予め準備されたチャネライゼーションコードの最大値を超えている場合（ｃ＝Ｎ）であり、次のタイミング（ｓ＝ｓ＋１）を設定する。
【００５５】
Ｓ１１：ステップＳ１０で更新されたスロットフォーマット検索数ｓがスロットフォーマット数である１０を超えたか否かを判定する。１０を超えた場合（ｓ＝１０）は終了となり、１０を超えていない場合はこのタイミングで使用されていないチャネライゼーションコードを判定するためにステップＳ３の処理を実行する。
【００５６】
なお、ユーザ＃ｉのＦ−ＤＰＣＨを解放する場合、次式で示されるようにＦＤＰ（Ｃｉ，Ｔｉ）を“０”にする。ただし、Ｃｉはチャネライゼーションコード識別番号、ＴｉはＴＰＣ出力タイミングである。
【００５７】
ＦＤＰ（Ｃｉ，Ｔｉ）＝０・・・（式８）
上記の処理は、無線ネットワーク制御装置（ＲＮＣ）１に搭載されているＣＰＵ等の演算手段に基づいてメモリ等のデータ格納手段に格納されたプログラムを実行することによって処理される。また、処理に必要なデータはメモリ等のデータ格納手段に格納されており、そして処理によって得られるデータもデータ格納手段に格納される。
【００５８】
本実施例によれば、最も伝播遅延量の許容範囲が大きいスロットフォーマットを優先的に割り当てることにより、上り電力制御のフィードバック時間の短縮化が可能となる。つまり、電力制御の反映時間を短縮化するために最適な下りＴＰＣビットタイミング、例えばＦ−ＤＰＣＨのスロットフォーマットを選択し、割り当てることが可能となる。具体的には、Ｆ−ＤＰＣＨに確保されているチャネライゼーションコードの中で、最適なタイミングにＴＰＣビットの空きがあるかを検索する（図１４、図１５のステップＳ５〜ステップＳ９のループ処理）。ＴＰＣビットの空きがなければＴＰＣビットのタイミングが２５６chip前方にあるスロットフォーマットのタイミングで同様の処理を実施する（図１４、図１５のステップＳ３〜ステップＳ１１のループ処理）。これにより、電力制御の反映時間を短縮化できるＦ−ＤＰＣＨのスロットフォーマットを選択し、割り当てることができる。
【００５９】
（実施例２）
Ｆ−ＤＰＣＨ設定後に無線端末（ＵＥ）５の移動などにより伝播遅延量が変動する場合がある。例えばチャネル設定時は伝播遅延量が大きかったために２スロット遅延で上り電力制御を実施するスロットフォーマットが割り当てられていたが、運用中にＵＥ５が無線基地局（Ｎｏｄｅ−Ｂ）２に近づいたことにより伝播遅延量が小さくなる場合がある。
【００６０】
本実施例では、ＵＥ５がＮｏｄｅ−Ｂ２に近づいて、Ｎｏｄｅ−Ｂ２とＵＥ５間の伝播遅延量が１スロット遅延処理での電力制御が可能な範囲となった場合に、再度スロットフォーマットを決定する処理を実施することを説明する。
【００６１】
図１６はＲＮＣにおけるチャネライゼーションコードおよびスロットフォーマットの更新を示す図である。ＲＮＣ１は、Ｎｏｄｅ−Ｂ２からのＮＢＡＰプロトコルの専用測定通知（dedicated measurement reporting）等によって通知されるＮｏｄｅ−Ｂ２で測定されたラウンドトリップタイムを取得する。また、ＲＮＣ１は、Ｎｏｄｅ−Ｂ２で設定されているチップオフセット値τｉを取得する。そして、取得したラウンドトリップタイムより伝播遅延量ＰＤｉの該当する範囲を選定し、（式７）により対応するＤｉを求め、更新する。
【００６２】
また、Ｎｏｄ−Ｂ２が認識しているチップオフセット値τｉを取得し、（式４）によりＣＯｉを決定することができる。
【００６３】
これらのＤｉ、ＣＯｉに基づいて、設定するＦ−ＤＰＣＨのチャネライゼーションコードおよびスロットフォーマットを決定する。この決定方法については、図１７、図１８を用いて後で説明する。更新されたチャネライゼーションコードおよびスロットフォーマットは、ＮＢＡＰプロトコルの、個別チャネルの設定時の無線リンク設定要求信号または更新時の無線リンク変更準備信号によって、ＲＮＣ１からＮｏｄ−Ｂ２に通知される。
【００６４】
図１７、図１８はＦ−ＤＰＣＨ適用時のチャネライゼーションコード、スロットフォーマットの更新方法の一例を示すフローチャートである。
【００６５】
ラウンドトリップタイムの測定値を取得しＤｉを新たに求めた結果、Ｄｉ＝０であり、かつ図４に示すスロットフォーマット＃１〜＃８のいずれかを現時点で使用している場合（ＮＯＦＦ１≧４）、スロットフォーマット＃９、スロットフォーマット＃０のＴＰＣ出力タイミングに対して空きを検索する。また、Ｄｉを新たに求めた結果、Ｄｉ＝１であり、かつスロットフォーマット＃１〜＃９のいずれかを現時点で使用している場合（ＮＯＦＦ１≠２）、スロットフォーマット＃０のＴＰＣ出力タイミングに対して空きを検索する。その結果、空きがあれば該当するチャネライゼーションコード、スロットフォーマットへの設定変更を実施し、空きがなければ設定変更は実施しない。
【００６６】
Ｓ２１：Ｎｏｄｅ−Ｂ２より通知されるラウンドトリップタイムを取得し（式７）によりＤｉを導出する。
【００６７】
Ｓ２２：Ｎｏｄｅ−Ｂ２より通知されるチップオフセット値τｉを取得し（式４）によりＣＯｉを導出する。ステップＳ２１、Ｓ２２の処理順序は逆でも良い。また、導出されたＤｉ、ＣＯｉはメモリ等のデータ格納手段に格納される。
【００６８】
Ｓ２３：Ｄｉ＝０であるか否かを判定する。つまり、通知されたラウンドトリップタイムの測定値により得られるＤｉが１スロット遅延による上り電力制御可能となる範囲内であるか否かを判定する。
【００６９】
Ｓ２４：ステップＳ２３にてＤｉ＝０の場合であり、現状設定されているＮＯＦＦ１が４以上であるか否かを判定する。つまり、現状使用されているスロットフォーマットが＃１〜＃８であるか否かを判定する。判定の結果、ＮＯの場合、設定されているＮＯＦＦ１が２または０、つまり使用されているスロットフォーマットが＃０または＃９であるので、更新しても現状の設定より改善されないので現状維持とする。
【００７０】
Ｓ２５：ステップＳ２３にてＤｉ≠０の場合であり、本ステップにてＤｉ＝１であるか否かを判定する。つまり、通知されたラウンドトリップタイムの測定値により得られるＤｉが１スロット遅延による上り電力制御可能となる範囲内であるか否かを判定する。判定の結果、Ｄｉ≠１の場合（ＮＯの場合）は、現状測定したラウンドトリップタイムにより上り電力制御が１スロット遅延に短縮できる状態ではないため現状維持とする。
【００７１】
Ｓ２６：ステップＳ２５にてＤｉ＝１の場合であり、現状設定されているＮＯＦＦ１が２であるか否かを、つまり、現状使用されているスロットフォーマットが＃０であるか否かを判定する。判定の結果、ＮＯＦＦ１＝２ならば（ＮＯの場合）、更新しても現状の設定より改善されないので現状維持とする。判定の結果、ＮＯＦＦ１≠２ならば（ＹＥＳの場合）、ステップＳ２７を実行する。
【００７２】
Ｓ２７：ステップＳ２４にてＮＯＦＦ１が４以上の場合であり、使用されているスロットフォーマットが＃１〜＃８のいずれかである。スロットフォーマットを＃０に更新することによって、現状設定されている２スロット遅延処理での電力制御を１スロット遅延処理にすることが可能になる。同様に、ステップＳ２６にてＮＯＦＦ１が２以外の場合であり、使用されているスロットフォーマットが＃１〜＃９のいずれかである。スロットフォーマットを＃０に更新することによって、現状設定されている２スロット遅延処理での電力制御を１スロット遅延処理にすることが可能となる。本ステップでは、パラメータｃ＝０を設定する。なお、パラメータｃはチャネライゼーションコード識別番号に対応する。
【００７３】
Ｓ２８：ステップＳ２２で導出されたＣＯｉにより、ｔ＝（ＣＯｉ＋１）の10で割った余り（mod10）を求める。本ステップは実施例１のステップＳ４と同じであり、スロットフォーマット＃０におけるＴＰＣビット出力タイミングを算出する。
【００７４】
Ｓ２９：チャネライゼーションコードを識別するパラメータｃとステップＳ２８で求めたｔによる関数ＦＤＰ(ｃ，ｔ)が“１”であるか否かを判定する。つまり、図１２で示したように、タイミングｔに設定されたＴＰＣビットをチャネライゼンーションコード＃ｃで拡散するように設定されているＦ−ＤＰＣＨが現時点で存在しているか否かを判定する。存在している場合は“１”であり、存在していなければ“０”である。
【００７５】
Ｓ３０：ステップＳ２９においてＦＤＰ(ｃ，ｔ)＝１の場合である。このタイミングｔでチャネライゼーションコード＃ｃは使用済であるため、次のチャネライゼーションコード＃ｃ＋１を設定する。
【００７６】
Ｓ３１：ステップＳ３０で更新されたチャネライゼーションコード識別番号が予め準備されたチャネライゼーションコードの最大値を超えているか否かを判定する。最大値を超えていない場合（ｃ＜Ｎ）はステップＳ２９の処理を実行する。
【００７７】
Ｓ３２：ステップＳ３１での判定により、チャネライゼーションコード識別番号が予め準備されたチャネライゼーションコードの最大値を超えている場合（ｃ＝Ｎ）、Ｄｉ＝０であるか否かを判定する。判定の結果、Ｄｉ＝１ならば（ＮＯの場合）、上り電力制御が１スロット遅延に短縮できる状態ではないため現状維持とする。Ｄｉ＝０ならば（ＹＥＳの場合）、スロットフォーマット＃９に更新することによって、現状設定されている２スロット遅延処理での電力制御を１スロット遅延処理にすることが可能となるためステップＳ３３の処理を実行する。
【００７８】
Ｓ３３：パラメータｃ＝０を設定する。なお、パラメータｃはチャネライゼーションコード識別番号に対応する。
【００７９】
Ｓ３４：ステップＳ２２で導出されたＣＯｉにより、ｔ＝ＣＯｉの10で割った余り（mod10）を求める。本ステップは（実施例１）のステップＳ４と同じであり、スロットフォーマット＃９におけるＴＰＣビット出力タイミングを算出する。
【００８０】
Ｓ３５：チャネライゼーションコードを識別するパラメータｃとステップＳ３４で求めたｔによる関数ＦＤＰ(ｃ，ｔ)が“１”であるか否かを判定する。つまり、図１２で示したように、タイミングｔに設定されたＴＰＣビットをチャネライゼンーションコード＃ｃで拡散するように設定されているＦ−ＤＰＣＨが現時点で存在しているか否かを判定する。存在している場合は“１”であり、存在していなければ“０”である。
【００８１】
Ｓ３６：ステップＳ３５においてＦＤＰ(ｃ，ｔ)＝１の場合である。このタイミングｔでチャネライゼーションコード＃ｃは使用済であるため、次のチャネライゼーションコード＃（ｃ＋１）を設定する。
【００８２】
Ｓ３７：ステップＳ３６で更新されたチャネライゼーションコード識別番号が予め準備されたチャネライゼーションコードの最大値を超えているか否かを判定する。最大値を超えていない場合（ｃ＜Ｎ）はステップＳ３５の処理を実行する。
【００８３】
Ｓ３８：ステップＳ２９またはＳ３５においてＦＤＰ(ｃ，ｔ)＝０の場合に、各ステップのＦＤＰ(ｃ，ｔ)を“１”に設定する。つまり、各ステップのＦＤＰ(ｃ，ｔ)は未使用であるため、これを該当するユーザにて使用する。
【００８４】
Ｓ３９：該当するユーザ＃ｉのスロットフォーマット変更実施が判定されたことに伴い、変更前に使用していたチャネライゼーションコードＣｉおよびタイミングＴｉに関する使用有無を示す関数ＦＤＰ（Ｃｉ，Ｔｉ）を“０”に設定し、未使用状態とする。
【００８５】
Ｓ４０：該当するユーザ＃ｉのチャネル設定を更新する。つまり、チャネライゼーションコードとしてＣｏｄｅ＃ｃに更新し、スロットフォーマットとしてＮＯＦＦ１＝２×（ｔ−ＣＯｉ）mod10であるフォーマットに更新し、それぞれを設定する。ただし、本処理においてはＮＯＦＦ１＝０、またはＮＯＦＦ１＝２となる。これにより、図１６に示すように更新された情報はＮｏｄｅ−Ｂに通知される。
【００８６】
上記の処理は、無線ネットワーク制御装置（ＲＮＣ）１に搭載されているＣＰＵ等の演算手段に基づいてメモリ等のデータ格納手段に格納されたプログラムを実行することによって処理される。また、処理に必要なデータはメモリ等のデータ格納手段に格納されており、そしてこれらの処理によって得られるデータもデータ格納手段に格納される。
【００８７】
本実施例によれば、Ｆ−ＤＰＣＨのスロットフォーマットが設定された際に、伝播遅延量が大きかったために２スロット遅延で上り電力制御を実施するスロットフォーマットが割り当てられており、運用中に無線端末５が無線基地局２に近づいたことにより伝播遅延量が小さくなり、１スロット遅延処理での電力制御が可能になる範囲になった場合に、再度スロットフォーマットを決定する処理を行い、チャネル設定を更新することが可能となる。よって、電力制御の反映時間を短縮化するようにＦ−ＤＰＣＨのスロットフォーマットを更新することが可能となる。
【００８８】
なお、上記実施例では無線端末５が無線基地局２に接近する方向へ移動したことで伝播遅延量が短縮され、上り電力制御の２スロット遅延処理を１ロット遅延処理に切替えるためのスロットフォーマット変更処理について説明した。逆に無線端末５が無線基地局２から遠ざかる方向へ移動することにより伝播遅延量が延伸する場合もある。その場合、当初は２スロット遅延による上り電力制御を実施していた。しかしながら、伝播遅延量が延伸により現状設定されているスロットフォーマットにおいて、（式３）に示した伝播遅延量の範囲を上回り、３スロット遅延処理に切り替わることも想定される。このため、上記実施例と同様に最適なスロットフォーマットへの変更処理を実施してもよい。つまり、伝播遅延量の延伸により上り電力制御が３スロット遅延処理となった場合、延伸後の伝播遅延量においても２スロット遅延による上り電力制御が可能であるスロットフォーマットを（式３）の条件により選択し、再設定する処理が有効である。
【００８９】
（実施例３）
実施例１、２にてＦ−ＤＰＣＨのスロットフォーマットの設定、更新の例を示した。このスロットフォーマットの設定、更新時に、同一のセル内の他のユーザの設定状況により、電力制御の反映時間を最小化するための最適なタイミングのスロットフォーマットに空きがない場合が想定される。
【００９０】
本実施例では、当該ユーザがＦ−ＤＰＣＨ設定されて運用中に、他ユーザのＦ−ＤＰＣＨの解放、または他ユーザのＦ−ＤＰＣＨのスロットフォーマット変更によりＴＰＣビットの最適なタイミングが空きになった場合、当該ユーザのスロットフォーマットを決定する処理を行い、チャネル設定を更新することを説明する。
【００９１】
実施例１の図１４、図１５、または実施例２の図１７、図１８において、最適なタイミングのスロットフォーマットに空きがないために上り電力制御の反映時間を最小化できない場合は、Ｄｉ≦１で２スロット遅延処理となるスロットフォーマットが設定された場合、またはＤｉ≧３で３スロット遅延処理となるスロットフォーマットが設定された場合である。
【００９２】
ここで、ユーザ＃ｉのＦ−ＤＰＣＨのスロットフォーマットを新規設定する時、または設定の更新を実施する時に、上記の条件のいずれかに該当するユーザを最適タイミングに対する待機状態として保持する（例えば待機ユーザ保持情報としてメモリ等に格納する。）。
【００９３】
ＴＰＣ出力タイミングがｔである他のユーザが解放された場合、タイミングｔへの待機状態であるユーザに対して空きとなったＦＤＰ（ｃ，ｔ）を割り当てるようにスロットフォーマットおよびチャネライゼーションコードの更新を実施する。更新に関する処理は実施例２で説明した処理になる。
【００９４】
つまり、例えば、Ｄｉ＝０のユーザに対し、スロットフォーマット＃１〜＃８のいずれかが割り当てられた場合は、ｔ＝ＣＯｉ mod 10、およびｔ＝（ＣＯｉ＋１）mod 10のタイミングに対する待機状態とする。またＤｉ＝１のユーザに対し、スロットフォーマット＃１〜＃９のいずれかが割り当てられた場合は、ｔ＝（ＣＯｉ＋１）mod 10のタイミングに対する待機状態とする。つまり、Ｄｉ≦１であるユーザに対しては、1スロット遅延による上り電力制御が可能となるスロットフォーマットへ更新するための待機状態とする。
【００９５】
また、Ｄｉ＝９のユーザに対し、スロットフォーマット＃１〜＃７のいずれかが割り当てられた場合は、ｔ＝ＣＯｉ mod 10、ｔ＝（ＣＯｉ＋１）mod 10、およびｔ＝（ＣＯｉ＋９）mod 10のタイミングに対する待機状態とする。つまり、Ｄｉ≧３であるユーザに対しては、２スロット遅延による上り電力制御が可能となるスロットフォーマットへ更新するための待機状態とする。
【００９６】
なお、タイミングｔへの待機状態となっているユーザが複数存在した場合、ユーザデータの優先度、待機経過時間等を条件として、スロットフォーマットおよびチャネライゼーションコードを更新するユーザを決定してもよい。
【００９７】
上記の処理は無線ネットワーク制御装置（ＲＮＣ）１に搭載されているＣＰＵ等の演算手段に基づいてメモリ等のデータ格納手段に格納されたプログラムを実行することによって処理される。また、処理に必要なデータはメモリ等のデータ格納手段に格納されており、そして処理によって得られるデータもデータ格納手段に格納される。
【００９８】
本実施例によれば、他ユーザのＦ−ＤＰＣＨの解放によりＴＰＣビットの最適なタイミングが空きになった場合、当該ユーザのスロットフォーマットの決定する処理を行い、チャネル設定を更新することが可能となる。
【００９９】
以上の実施例１〜３を含む実施形態に関し、更に以下の付記を開示する。
【０１００】
（付記１）  無線端末の無線送信電力を制御するための送信電力制御情報を送信する基地局装置へ該送信電力制御情報としてチャネル識別拡散符号とタイムスロット情報を通知する無線ネットワーク制御装置であって、
該基地局装置が送信したデータが該無線端末を往復する時間であるラウンドトリップタイムの測定値を取得する手段と、
該基地局装置が該無線端末へ該送信電力制御情報を送信するタイミングの基準タイミングからの遅れを示すタイミングオフセット値を取得する手段と、
該取得したラウンドトリップタイムの測定値とタイミングオフセット値に基づいて、該基地局装置へ通知する該チャネル識別拡散符号と該タイムスロット情報を制御する手段とを備えることを特徴とする無線ネットワーク制御装置。
（付記２）  付記１に記載の無線ネットワーク制御装置であって、
該タイムスロット情報は、複数の無線端末に対応する個別チャネルの該送信電力制御情報を同じコードで拡散し、複数の無線端末に対応する該送信電力制御情報を時分割多重するためのタイムスロット情報であることを特徴とする無線ネットワーク制御装置。
（付記３）  無線端末の無線送信電力を制御するための送信電力制御情報を送信する基地局装置へ該送信電力制御情報としてチャネル識別拡散符号とタイムスロット情報を通知する無線ネットワーク制御装置が、該送信電力制御情報の送信されるタイムスロットを設定するための送信電力制御情報設定方法であって、
該基地局装置が送信したデータが該無線端末を往復する時間であるラウンドトリップタイムの測定値を取得し、
該基地局装置が該無線端末へ該送信電力制御情報を送信するタイミングの基準タイミングからの遅れを示すタイミングオフセット値を取得し、
該取得したタイミングオフセット値に基づいて決定される第１のタイムスロット情報と、予め確保されているチャネル識別拡散符号の組み合わせにおいて未使用のタイムスロットを検索し、
第１のタイムスロット情報の検索にて未使用のタイムスロットが無かった場合に、該基地局装置と該無線端末間の伝播遅延量の許容範囲が第１のタイムスロット情報より小さくなる第２のタイムスロット情報と該チャネル識別拡散符号の組み合わせにおいて未使用のタイムスロットを検索し、
該検索を予め決定されるタイムスロット数まで順次繰り返し実行することによって未使用のタイムスロットを検索し、該基地局装置へ通知する該チャネル識別拡散符号と該タイムスロット情報を制御することを特徴とする送信電力制御情報設定方法。
（付記４）  付記３に記載の送信電力制御情報設定方法であって、
予め決定され該検索を実行するタイムスロット数は、複数の無線端末に対応する個別チャネルの該送信電力制御情報を同じコードで拡散処理し、複数の無線端末に対応する該送信電力制御情報を時分割多重する多重数であることを特徴とする送信電力制御情報設定方法。
（付記５）  付記３に記載の送信電力制御情報設定方法であって、
該送信電力制御情報設定方法は、該無線端末が該無線ネットワーク制御装置の管理する無線アクセスネットワークに収容される時に実行されることを特徴とする送信電力制御情報設定方法。
（付記６）  付記３に記載の送信電力制御情報設定方法であって、
該送信電力制御情報の送信されるタイムスロットが設定されている該無線端末の該ラウンドトリップタイムの測定値が所定の範囲外になった場合に、該送信電力制御情報設定方法は実行されることを特徴とする送信電力制御情報設定方法。
（付記７）  付記６に記載の送信電力制御情報設定方法であって、
該未使用タイムスロットが存在しないために該タイムスロット設定の待機状態にある無線端末が存在し、該送信電力制御情報の送信されるタイムスロットが設定されている無線端末のチャネルの解放、または該送信電力制御情報のタイムスロット変更が実施され、特定のタイムスロットが未使用タイムスロットになった場合に、該送信電力制御情報設定方法は実行されることを特徴とする送信電力制御情報設定方法。
（付記８）  無線端末の無線送信電力を制御するための送信電力制御情報を送信する基地局装置へ該送信電力制御情報としてチャネル識別拡散符号とタイムスロット情報を通知する無線ネットワーク制御装置が、該送信電力制御情報の送信されるタイムスロットを設定するための、該基地局装置と該無線ネットワーク制御装置を含む移動通信システムであって、
該基地局装置は、該基地局装置が送信したデータが該無線端末を往復する時間であるラウンドトリップタイムを測定し、
該無線ネットワーク制御装置は、
該ラウンドトリップタイム測定値を取得し、
該基地局装置が該無線端末へ該送信電力制御情報を送信するタイミングの基準タイミングからの遅れを示すタイミングオフセット値を取得し、
該取得したタイミングオフセット値に基づいて決定される第１のタイムスロット情報と、予め確保されているチャネル識別拡散符号の組み合わせにおいて未使用のタイムスロットを検索し、
第１のタイムスロット情報の検索にて未使用のタイムスロットが無かった場合に、該基地局装置と該無線端末間の伝播遅延量の許容範囲が第１のタイムスロット情報より小さくなる第２のタイムスロット情報と該チャネル識別拡散符号の組み合わせにおいて未使用のタイムスロットを検索し、
該検索を予め決定されるタイムスロット数まで順次繰り返し実行することによって未使用のタイムスロットを検索し、該基地局装置へ通知する該チャネル識別拡散符号と該タイムスロット情報を制御することを特徴とする移動通信システム。
【図面の簡単な説明】
【０１０１】
【図１】移動通信システムの一例を示す図。
【図２】Ｎｏｄｅ−Ｂのベースバンド信号処理部の概要を示す図。
【図３】Ｆ−ＤＰＣＨのフレーム構成の一例を示す図。
【図４】Ｆ−ＤＰＣＨのスロットフォーマット毎の各フィールドのビット割当の一例を示す図。
【図５】Ｆ−ＤＰＣＨのパラメータ通知を示す図。
【図６】Ｆ−ＤＰＣＨ適用時の無線端末送信電力制御（上り電力制御）の処理タイミングの一例を示す図。
【図７】Ｆ−ＤＰＣＨ適用時のＮｏｄｅ−Ｂ送信電力制御（下り電力制御）の処理タイミングの一例を示す図。
【図８】スロットフォーマット＃１〜＃８を適用した場合のＦ−ＤＰＣＨ適用時の無線端末送信電力制御（上り電力制御）の処理タイミングの一例を示す図。
【図９】Ｆ−ＤＰＣＨ適用時のＮｏｄｅ−Ｂ送信電力制御（下り電力制御）の処理タイミングの一例を示す図。
【図１０】Ｆ−ＤＰＣＨ適用時の無線端末送信電力制御（上り電力制御）の処理タイミングの一例を示す図。
【図１１】Ｆ−ＤＰＣＨ適用時の無線端末送信電力制御（上り電力制御）の処理タイミングの一例を示す図。。
【図１２】Ｆ−ＤＰＣＨ適用時の各チャネライゼーションコードおよびＴＰＣタイミングの使用状況例を示す図。
【図１３】ＲＮＣにおけるチャネライゼーションコードおよびスロットフォーマットの設定を示す図。
【図１４】Ｆ−ＤＰＣＨ適用時のチャネライゼーションコード、スロットフォーマットの決定方法の一例を示すフローチャート。
【図１５】Ｆ−ＤＰＣＨ適用時のチャネライゼーションコード、スロットフォーマットの決定方法の一例を示すフローチャート。
【図１６】ＲＮＣにおけるチャネライゼーションコードおよびスロットフォーマットの更新を示す図。
【図１７】Ｆ−ＤＰＣＨ適用時のチャネライゼーションコード、スロットフォーマットの更新方法の一例を示すフローチャート。
【図１８】Ｆ−ＤＰＣＨ適用時のチャネライゼーションコード、スロットフォーマットの更新方法の一例を示すフローチャート。
【符号の説明】
【０１０２】
１    無線ネットワーク制御装置（ＲＮＣ）
２    無線基地局（Ｎｏｄｅ−Ｂ）
３    屋外受信増幅器（ＯＡ−ＲＡ）
４    アンテナ
５    無線端末（ＵＥ）
２１    伝送路インタフェース部（ＨＷＹＩＦ）
２２    ベースバンド信号処理部
２３    無線変調部
２４    増幅部（ＡＭＰ）
２２１    符号化部
２２２    上り電力制御部
２２３    送信部
２２４    拡散部
２２５    逆拡散部
２２６    ＲＡＫＥ合成部
２２７    受信部
２２８    復号化部
２２２１    受信電力／ＳＩＲ測定部
２２２２    ＳＩＲ比較部
２２２３    ＴＰＣ設定部
【図１】
2010147843.tif 000003
【図２】
2010147843.tif 000004
【図３】
2010147843.tif 000005
【図４】
2010147843.tif 000006
【図５】
2010147843.tif 000007
【図６】
2010147843.tif 000008
【図７】
2010147843.tif 000009
【図８】
2010147843.tif 000010
【図９】
2010147843.tif 000011
【図１０】
2010147843.tif 000012
【図１１】
2010147843.tif 000013
【図１２】
2010147843.tif 000014
【図１３】
2010147843.tif 000015
【図１４】
2010147843.tif 000016
【図１５】
2010147843.tif 000017
【図１６】
2010147843.tif 000018
【図１７】
2010147843.tif 000019
【図１８】
2010147843.tif 000020